(57)【要約】【課題】  調整手段の軽量・簡素化と、ガイドレールの上下位置調整による扉移動の円滑化ならびに風等の外力に基づく扉のガタによる騒音をも抑制する。【解決手段】  下部レール２にて扉１の自重を担持する引戸式扉における上部ガイドレール３をレール受材４に吊り部材８、９にて上下位置調整自在に吊持させ、前記上部ガイドレール３の前後をレール受材４にて挟持したことにより、扉の上部支持構造体であるレール受材４に対して分離構成されたガイドレール３のみを上下動させることができるので、ガイドレール３の上下位置調整手段８、９の軽量・簡素化が図れる。しかも、ガイドレール３の前後がレール受材４にて挟持されていることにより、風荷重等の外力を受けた扉１がガイドレール３を介してレール受材４との間のガタによる騒音を発生させることがない。【選択図】  図１
2008014026.tif 000002
【特許請求の範囲】
【請求項１】
倉庫等の出入口に設置され、下部レールにて扉の自重を担持するとともに上部ガイドレールにてガイドされて開閉する引戸式扉における上部ガイドレールの支持構造において、前記上部ガイドレールをレール受材に調整吊り部材にて上下位置調整自在に吊持させるとともに、前記上部ガイドレールの前後をレール受材にて挟持するように構成したことを特徴とする引戸式扉における上部ガイドレールの支持構造。
【請求項２】
前記上部ガイドレールの前後をレール受材にて挟持するに、これら上部ガイドレールとレール受材との間に予め間隙を設けるとともに、この間隙を詰める前後調整部材を設置したことを特徴とする請求項１に記載の引戸式扉における上部ガイドレールの支持構造。
【請求項３】
前記レール受材を平面トラス構造体の一部として構成し、扉が受ける風荷重等の外力を前記上部ガイドレールを介して平面トラス構造体から倉庫等の構造物に伝達するように構成したことを特徴とする請求項１または２に記載の引戸式扉における上部ガイドレールの支持構造。
【発明の詳細な説明】
【技術分野】
【０００１】
本発明は、倉庫等の出入口に設置され、下部レールにて扉の自重を担持するとともに上部ガイドレールにてガイドされて開閉する引戸式扉における上部ガイドレールの支持構造に関する。
【背景技術】
【０００２】
大型倉庫のような重量構造物においては、その出入口に設置される扉の重量も大きい。比較的扉の重量が小さい場合には、特開平７−２５９４２２号公報に開示されたもののように、開閉扉の設置・取付けのために、開閉扉が吊り下げられた支持部材を調整部材によって前後および高さを調整可能に構成したものがある。しかしながら、開閉扉が吊り下げられているため、前記支持部材の負担が大きく調整作業にも大きな力を必要とした。そのため、重量の大きな扉の場合には、下部レールにて扉の自重を担持するとともに上部ガイドレールにてガイドされて開閉する引戸式扉が提案されている（下記特許文献１参照）。  
【特許文献１】特許第１０１６０３号公報（公報特許請求の範囲参照）
【発明の開示】
【発明が解決しようとする課題】
【０００３】
前記特許文献１に開示された格納庫類出入口ガーダーについて図８を用いて簡単に説明する。トラス１０１の中央部分（図８（Ａ）に示した格納庫の間口における幅方向の中央部）に導部１０２を設け、該導部１０２に出入口ガーダー（図示省略、図８（Ａ）のトラス１０１の下方の空間部分に配設される引戸等）を取付け可能にした摺動子１０３を上下摺動自在に装着し、かつ該摺動子１０３をターンバックル１０７、１０８等の進退装置にて上下動自在にかつ適宜の位置に定駐可能に構成するとともに、前記摺動子１０３を上下動させることにより、摺動子１０３の下部１０４に定着された前記出入口ガーダーの中央部分を上下させ、前記トラス１０１の中央部分の湾曲を矯正するように構成したものである。
【０００４】
このような格納庫類出入口ガーダーにより、トラス１０１および出入口ガーダーの自重に基づく垂直荷重による変形に対して、トラス１０１等の支持構造物自体の中央部分を上下に調整可能に構成することで構造物の変形を矯正し、出入口ガーダー等の扉の開閉を容易かつ円滑に行うことができるようにした。
【０００５】
しかしながら、格納庫等倉庫への重量物の移動に伴う地盤沈下等から構造物自体あるいは扉を支持する下部レール等が変形した場合には、トラス１０１等の上部支持構造体自体の中央部の上下調整のみでは対処が困難で、中央部以外の箇所にも調整すべき手段を設置する必要が生じた。また、前記従来例のものでは、支持構造体である摺動子１０３自体を上下調整するものであるため、その重量も重く、装置自体も大掛かりになりがちであった。
【０００６】
そこで本発明は、従来の倉庫等の扉装置における諸課題を解決して、扉の上部支持構造体において上部ガイドレールを上部支持構造体から分離し、該上部ガイドレールのみを上下動ないし前後動させて、調整手段の軽量・簡素化と、上部ガイドレールの上下位置調整による扉移動の円滑化ならびに風等の外力に基づく扉のガタによる騒音をも抑制できる引戸式扉における上部ガイドレールの支持構造を提供することを目的とする。
【課題を解決するための手段】
【０００７】
このため本発明は、倉庫等の出入口に設置され、下部レールにて扉の自重を担持するとともに上部ガイドレールにてガイドされて開閉する引戸式扉における上部ガイドレールの支持構造において、前記上部ガイドレールをレール受材に調整吊り部材にて上下位置調整自在に吊持させるとともに、前記上部ガイドレールの前後をレール受材にて挟持するように構成したことを特徴とする。また本発明は、前記上部ガイドレールの前後をレール受材にて挟持するに、これら上部ガイドレールとレール受材との間に予め間隙を設けるとともに、この間隙を詰める前後調整部材を設置したことを特徴とする。また本発明は、前記レール受材を平面トラス構造体の一部として構成し、扉が受ける風荷重等の外力を前記上部ガイドレールを介して平面トラス構造体から倉庫等の構造物に伝達するように構成したことを特徴とするもので、これらを課題解決のための手段とするものである。
【発明の効果】
【０００８】
本発明によれば、倉庫等の出入口に設置され、下部レールにて扉の自重を担持するとともに上部ガイドレールにてガイドされて開閉する引戸式扉における上部ガイドレールの支持構造において、前記上部ガイドレールをレール受材に調整吊り部材にて上下位置調整自在に吊持させるとともに、前記上部ガイドレールの前後をレール受材にて挟持するように構成したことにより、扉の上部支持構造体であるレール受材に対して分離構成された上部ガイドレールのみを上下動させることができるので、上部ガイドレールの上下位置調整手段の軽量・簡素化が図れる。しかも、上部ガイドレールの前後がレール受材にて挟持されていることにより、風荷重等の外力を受けた扉がガイドレールを介してレール受材との間のガタによる騒音を発生させることがない。かくして、上部ガイドレールの上下位置調整により構造物の地盤沈下等に対応させて扉の開閉を円滑にでき、扉自体に何ら格別の手段を施す必要もない。
【０００９】
また、前記上部ガイドレールの前後をレール受材にて挟持するに、これら上部ガイドレールとレール受材との間に予め間隙を設けるとともに、この間隙を詰める前後調整部材を設置した場合は、上部ガイドレールとレール受材との間の前後隙間精度を高くする必要がなく、製造が容易となる他、その後の地盤沈下等に基づく、倉庫等構造物の変形ないしは上部ガイドレールとレール受材との間の前後隙間における局部的な変形ずれに適正に対応させることができる。さらに、前記レール受材を平面トラス構造体の一部として構成し、扉が受ける風荷重等の外力を前記上部ガイドレールを介して平面トラス構造体から倉庫等の構造物に伝達するように構成した場合は、扉が受ける風荷重等の外力を、レール受材から強度部材である平面トラス構造体の一部を構成するレール受材を介して、倉庫等の構造物の一部の端部柱等に軸力として円滑に伝達して分散することができる。
【発明を実施するための最良の形態】
【００１０】
以下本発明を実施するための最良の形態を図面に基づいて説明する。図１は本発明の引戸式扉における上部ガイドレールの支持構造の第１実施例の平面、断面および要部側面図、図２は本発明の上部ガイドレールの支持構造を採用した倉庫等構造物の説明図、図３は本発明の引戸式扉における上部ガイドレールの支持構造の第２実施例の平面および要部断面、図４は本発明の引戸式扉における上部ガイドレールの支持構造の第３実施例の平面および断面図、図５は本発明の引戸式扉における上部ガイドレールの支持構造の第４実施例の平面および断面図、図６は本発明の引戸式扉における上部ガイドレールの支持構造の第５実施例の平面および断面図、図７は本発明の引戸式扉における上部ガイドレールの支持構造の第６実施例の平面および断面図である。
【実施例１】
【００１１】
本発明の引戸式扉における上部ガイドレールの支持構造の基本的な構成は、図１の第１実施例に示すように、倉庫等の出入口に設置され、下部レール２にて扉１の自重を担持するとともに上部ガイドレール３にてガイドされて開閉する引戸式扉１における上部ガイドレール３の支持構造において、前記上部ガイドレール３をレール受材４に調整吊り部材８、９にて上下位置調整自在に吊持させるとともに、前記上部ガイドレール３の前後をレール受材４にて挟持するように構成したことを特徴とする。
【００１２】
以下に詳述する。図２（Ａ）（Ｂ）に示すように、倉庫等の構造物１５における前面の間口部に、多数の引戸状の扉１、１・・が配置され、開口部の上縁の左右に渡り、これらの扉１の上部をガイド自在に保持する上部ガイドレール３およびレール受材４が配設される。図２（Ｃ）に示すように、多数の扉１は左右それぞれ前後（図面上では上下）に３段の列状に重畳されており、開扉時には戸袋２４内に格納して収納される。図２（Ｄ）は各扉１の上部をガイド自在に保持する上部ガイドレール３の平面図である。図２（Ｅ）は前記上部ガイドレール３を挟持しつつ分離構成されたレール受材４が、倉庫等の構造物の一部の端部柱１６等に連結された状態の平面図である。レール受材４は、斜めのラチス材１３等により補強連結された平面トラス構造体１４を構成する。倉庫等の構造物１５における前面の間口部の上縁の左右に渡って配設されたレール受材４および上部ガイドレール３を以下に詳述する。
【００１３】
図１に戻り、倉庫等の構造物１５（図２）の前面開口部の上縁壁面に沿って上部ガイドレール３を挟持したレール受材４が配設されている。構造物１５の前面開口部の上縁壁面に沿う方向とは、図１（Ａ）では図面上下方向、図１（Ｂ）では紙面に直交する方向である。前記図２（Ｅ）に示した平面トラス構造体１４を構成するレール受材４は、上縁壁面に沿う方向に所定間隔（横桟３Ｃの前後幅に相当）を置いて並置された一対のＬ字形アングル材からなるガイド板４Ａの前後（図１（Ａ）で左右方向）間を横桟４Ｂにてボルトナット等により連結する。横桟４ＢもＬ字形アングル材からなり、図１（Ｂ）に示すように、前記ガイド板４Ａの水平部４ＡＨと横桟４Ｂの水平部４ＢＨとが連結される。横桟４Ｂはガイド板４Ａの長さ方向に所定間隔にて設置される。
【００１４】
一方、図１（Ｂ）に示すように、前記一対のガイド板４Ａにおける垂直部４ＡＶ間には、上部ガイドレール３が配設される。図１（Ｃ）を参照しつつ、上部ガイドレール３は、前記ガイド板４Ａ、４Ａ間で、これらガイド板４Ａ、４Ａと平行に配設される基板３Ｂと、該基板３Ｂの底面から垂設され扉１の数に応じたガイド壁部３Ａ、・・が設けられる。基板３Ｂの上面において、所定間隔毎で前記横桟４Ｂと対応する位置に横桟３Ｃが溶接等により配設される。これらのレール受材４側の横桟４Ｂと上部ガイドレール３側の横桟３Ｃとが、調整吊りボルト８およびナット９によって吊り下げられる。調整吊りボルト８およびナット９は、横桟４Ｂの水平部４ＢＨと横桟３Ｃの水平部３ＣＨとの間に挿入される。前記横桟３Ｃにおける水平部３ＣＨと垂直部３ＣＶおよび基板３Ｂの前後端面は、ガイド板４Ａにおける垂直部４ＡＶ間にほぼ隙間なく挟持される。前記ガイド壁部３Ａ、３Ａ間に、扉１の上端部に配設されたローラ軸１２に軸支されたローラ５が転動かつ前後方向に規制されてガイド自在に配置される。扉１の下部は、敷居部材１０の上に配設された下部レール２上に、支持ローラ１１を介して扉１の各自重を転動自在に担持する。
【００１５】
このように構成されているので、万一、その後の地盤沈下等に起因して、倉庫等構造物１５の変形ないしは上部ガイドレール３とレール受材４との間の上下隙間における局部的な変形ずれが生じて引戸式扉の円滑な移動が困難となった場合には、扉１の上部支持構造体であるレール受材４に対して分離構成された比較的軽量な上部ガイドレール３のみを、簡素な構造の調整吊り部材であるボルト８に対するナット９の回動調整によって上下動させて適正な位置に修正することで、引戸式扉の円滑な転動が可能となる。しかも、比較的軽量な上部ガイドレール３のみを調整すればよいので、上下位置調整手段の軽量・簡素化が図れる。また、レール受材４が前後方向に変形ずれを生じた場合でも、上部ガイドレール３の前後がレール受材４にて挟持されていることで、レール受材４に吊持された上部ガイドレール３がレール受材４の変形ずれに追従することにより、風荷重等の外力を受けた扉が上部ガイドレール３を介してレール受材４との間のガタによる騒音を発生させることがない。また、上下調整やガタ騒音防止のために扉自体に何ら格別の手段を施す必要もない。
【実施例２】
【００１６】
図３は本発明の引戸式扉における上部ガイドレールの支持構造の第２実施例の平面および要部断面である。図３では引戸式扉１およびローラ５等が図示省略されている。本実施例のものは、図３（Ｂ）に示すように、上部ガイドレール３の前後をレール受材４にて挟持するに、これら上部ガイドレール３における例えば前部（図面左側）端面（図示の例では受板２０を介設してある）とレール受材４のガイド板４Ａにおける垂直部４ＡＶとの間に予め間隙を設けるとともに、この間隙を詰める前後調整部材１８、１９を設置したものである。本実施例のものによると、上部ガイドレール３における前部の受板２０とレール受材４のガイド板４Ａにおける垂直部４ＡＶとの間の前後隙間精度を高くする必要がなくて、製造が容易となる他、その後の地盤沈下等に起因して、倉庫等構造物の変形ないしは上部ガイドレール３とレール受材４との間の前後隙間における局部的な変形ずれが生じた場合には、調整すべき対応する部位に位置する前後調整部材である調整横ボルト・ナット１８、１９の前後調整によって適正に対応させることができる。なお、レール受材４における横桟４Ｂの調整吊りボルト８用の孔は長孔６（図３（Ａ））とされ、横桟４Ｂに対する上部ガイドレール３の前後位置の微調整が可能である。以下の各実施例においても同様である。
【実施例３】
【００１７】
図４は本発明の引戸式扉における上部ガイドレールの支持構造の第３実施例の平面および断面図である。本実施例のものは、前記図３の実施例２のものを基本構成としており、図４（Ｂ）に示すように、上部ガイドレール３とレール受材４のガイド板４Ａにおける垂直部４ＡＶとの間に予め間隙を設けるものとして、前後のいずれにも隙間を設けたものである。したがって、上部ガイドレール３の基板３Ｂおよび横桟３Ｃの前後端面に受板２０を設置するとともに、レール受材４における前後のガイド板４Ａ、４Ａにおける各垂直部４ＡＶとの間に、前後調整部材である調整横ボルト・ナット１８、１９をそれぞれ配設したものである。本実施例では、上部ガイドレール３の受板２０側から調整横ボルト１８をガイド板４Ａ、４Ａにおける各垂直部４ＡＶ側に向けて設置し、垂直部４ＡＶの表面側から調整ナット１９にて調整するものである。本実施例では前後のいずれ側からも隙間調整ができるので、構造物の微妙な変形に対して上部ガイドレール３の細かな微調整が可能となる。            
【実施例４】
【００１８】
図５は本発明の引戸式扉における上部ガイドレールの支持構造の第４実施例の平面および断面図である。本実施例では、上部ガイドレール３における横桟３Ｃの上部の水平部３ＣＨの前後のいずれにも、Ｌ字形の調整板３Ｄ、３Ｅを設置したものである。これらの調整板３Ｄ、３Ｅは、上部ガイドレール３のレール受材４に対する上下調整用の調整吊りボルト８に螺合される固定ナット２３により共締めされる。図示の例では、少なくとも後側（図面右側）の調整板３Ｅのものには、長孔２１が形成されており、該長孔２１に前記調整吊りボルト８が挿入されて緊締されるように構成されている。これによって、調整吊りボルト８に対する固定ナット２３の緊締の際に、前記長孔２１における調整吊りボルト８の位置を選定することで、調整板３Ｅの後方への突出量が決定される。この突出量を調整することで、隙間調整が可能となる。長孔は前側の調整板３Ｄにも形成できる。
【実施例５】
【００１９】
図６は本発明の引戸式扉における上部ガイドレールの支持構造の第５実施例の平面および断面図である。本実施例のものは、前記図５の第４実施例のものが調整板３Ｄ、３Ｅを上部ガイドレール３の横桟３Ｃに設置していたのに対して、レール受材４における横桟４Ｂの水平部４ＢＨに設置して調整板４Ｄ、４Ｅとしたものである。これらの調整板４Ｄ、４Ｅにおける垂直部４ＤＶ、４ＥＶにて上部ガイドレール３の横桟３Ｃの前後端面をガイドして挟持するものである。少なくとも後側の調整板４Ｅにおけるボルト・ナットへの緊締用の孔を長孔２２としたことにより、上部ガイドレール３との間の隙間調整を行える。長孔２２は前側の調整板４Ｄにも形成できる。なお、レール受材４における横桟４Ｂは、Ｌ字形のガイド板４Ａにて抱持される形態にて支持される。
【実施例６】
【００２０】
図７は本発明の引戸式扉における上部ガイドレールの支持構造の第６実施例の平面および断面図である。本実施例のものは、前記図５の第４実施例のものにおける前後一対の調整板３Ｄ、３Ｅに代えて、これらを一体に構成して１つの調整板３Ｄとしたものである。したがって、調整板３Ｄの前後の端部を下方へ折り返した垂直部が、レール受け材４におけるガイド板４Ａ、４Ａの垂直部４ＡＶ、４ＡＶに当接してガイドされる。調整板３Ｄにおける調整吊りボルト８への前後一対の挿入用の孔は長孔２１として形成され、調整板３Ｄに対する上部ガイドレール３の横桟３Ｃの位置調整が行われる。
【００２１】
以上、本発明の実施例について説明してきたが、本発明の趣旨の範囲内で、倉庫等構造物の種類、出入口の形状、形式、下部レールの形状、形式および敷居部材における敷設形態、ガイドローラおよび支持ローラの形状、形式（単列、複列）、ガイドローラおよび支持ローラの軸支形態を含む扉の形状、形式、数および配列形態（互いに前後に重畳して格納する複数列配列等、単列もあり得る）、Ｌ字形アングル材（Ｕ字形チャンネル材等も採用可能）等を構成部材とした上部ガイドレールの形状（ガイド壁部の垂設形態、横桟と基板との関連構成、受板の設置形態、調整板の形状およびその横桟への設置形態）、形式、Ｌ字形アングル材等を構成部材としたレール受材の形状（横桟とガイド板との関連構成、ガイド板の形状およびその上部ガイドレールへの挟持形態）、形式、調整吊り部材による上下位置調整形態（ボルトに対するナットの螺合、固設ナットへのボルトの螺合、場合によってはターンバックルも採用可能）、予め設定される上部ガイドレールとレール受材との間の水平方向の前後隙間の量、前後調整部材の形状、形式（ボルトに対するナットの螺合、固設ナットへのボルトの螺合）および上部ガイドレールまたはレール受材への設置形態、レール受材の平面トラス構造体としての形態、平面トラス構造体から倉庫等の構造物への荷重の伝達形態等については適宜選定できる。また、実施例に記載の諸元はあらゆる点で単なる例示に過ぎず限定的に解釈してはならない。
【図面の簡単な説明】
【００２２】
【図１】本発明の引戸式扉における上部ガイドレールの支持構造の第１実施例の平面、断面および要部側面図でだある。
【図２】本発明の上部ガイドレールの支持構造を採用した倉庫等構造物の説明図である。
【図３】本発明の引戸式扉における上部ガイドレールの支持構造の第２実施例の平面および要部断面である。
【図４】本発明の引戸式扉における上部ガイドレールの支持構造の第３実施例の平面および断面図である。
【図５】本発明の引戸式扉における上部ガイドレールの支持構造の第４実施例の平面および断面図である。
【図６】本発明の引戸式扉における上部ガイドレールの支持構造の第５実施例の平面および断面図である。
【図７】本発明の引戸式扉における上部ガイドレールの支持構造の第６実施例の平面および断面図である。
【図８】従来の格納庫類出入口ガーダーの説明図である。
【符号の説明】
【００２３】
１      扉
２      下部レール
３      上部ガイドレール
３Ａ      ガイド壁部
３Ｂ      基板
３Ｃ      横桟
４      レール受材
４Ａ      ガイド板
４Ｂ      横桟
５      ガイドローラ
６      長孔
８      調整吊り部材（ボルト等）
９      調整ナット
１０      敷居部材
１１      支持ローラ
１２      ローラ軸
ＢＮ      ボルトナット等
【図１】
2008014026.tif 000003
【図２】
2008014026.tif 000004
【図３】
2008014026.tif 000005
【図４】
2008014026.tif 000006
【図５】
2008014026.tif 000007
【図６】
2008014026.tif 000008
【図７】
2008014026.tif 000009
【図８】
2008014026.tif 000010